(57)【要約】      （修正有）【課題】安定したフロート動作を実現することで、溶解液を長時間安定して生成することが可能な気液分離器を提供する。【解決手段】前記容器１０４の内部は、外部から内部に導入された液体が流通するための導入室１４１と、前記内部から外部に導出される液体が流通するための導出室１４３とに区画され、前記容器１０４は、前記導出室１４３に溜められた液体の液位の変化に連動し、液面に対向する開口部を有するフロート７１と、前記フロート７１の移動に基づいて前記流出口１４２を開閉する液位調整部７０をさらに備え、前記フロート７１の開口部は、前記導入室１４１と導出室１４３を仕切る仕切部１４７の高さよりも常に高い位置に配置している。【選択図】図２
2014083509.tif 000002
【特許請求の範囲】
【請求項１】
液体を収容する容器を備え、
前記容器の内部は、前記容器の外部から内部に導入された液体が流通するための導入室と、前記容器の内部から外部に導出される液体が流通するための導出室とに区画され、
前記容器には、前記容器の外部と前記導入室とを連通させる第１の開口と、前記容器の外部と前記導出室とを連通させる第２の開口と、前記第１の開口および前記第２の開口よりも上方に配置され且つ前記容器の内部と外部とを連通させる流出口とが形成され、
前記容器は、前記導出室に溜められた液体の液位の変化に連動し、液面に対向する開口部を有するフロートと、前記フロートの移動に基づいて前記流出口を開閉する液位調整部をさらに備え、
前記フロートの開口部は、前記導入室と導出室を仕切る仕切部の高さよりも常に高い位置に配置した気液分離器。
【請求項２】
前記液位調整部は、液体の液位が所定の上限位に達する場合に前記流出口を閉塞する請求項１記載の気液分離器。
【請求項３】
請求項１または請求項２に記載の気液分離器と、
気体状態の特定の物質を発生させる気体発生器と、
前記気液分離器に供給される液体に、前記気体発生器が発生させた気体状態の特定の物質を混合させる気液混合器を備えた溶解液生成装置。
【請求項４】
前記気体発生器は、オゾンを発生させ、
当該溶解液生成装置は、オゾンが溶解した水を生成するオゾン水生成装置である請求項３記載の溶解液生成装置。
【請求項５】
請求項３または請求項４に記載の溶解液生成装置を備えた衛生器具用洗浄装置。
【発明の詳細な説明】
【技術分野】
【０００１】
本発明は、気液分離器およびそれを備えた溶解液生成装置、並びに、それを備えた衛生器具用洗浄装置に関する。
【背景技術】
【０００２】
液体と気体とを混合することによって、液体中に気体が溶解された溶解液を生成する溶解液生成装置の気液分離器として、オゾン水生成器のオゾン水タンクが従来から知られており、例えば、特許文献１に記載されたオゾン水生成器は、オゾナイザーと、混合溶解手段としてのエジェクタと、オゾン水タンクと、処理装置と、排水ホースとを備えている。オゾナイザーは、オゾンガスを発生させる。エジェクタは、水道蛇口から供給される水が流通する経路に配置されている。エジェクタは、水道水がエジェクタを通る際に、オゾンガスを吸引することにより、水道水とオゾンガスとを混合させる。このようにして、特許文献１に記載されたオゾン水生成器において、水道水にオゾンが溶解したオゾン混合水が生成される。
【０００３】
図９は、特許文献１に示されたオゾン水生成器のオゾン水タンク９００の断面図である。オゾン水タンク９００は、エジェクタで生成されたオゾン混合水を流入口９０１より導入し、矢印Ａの方向に渦を巻いて循環させ、水に溶解しない余剰のオゾンガスと、オゾンガスが溶解したオゾン水とに気液分離する。また、オゾン水タンク９００は、気液分離して得られたオゾン水を貯留する。余剰のオゾンガスは、排気口９０２からオゾン水タンク９００の外部に排気され、且つ、処理装置に送り込まれることにより、酸素に還元処理される。余剰のオゾンガスは、還元処理された後に、大気に排出される。オゾン水タンクに貯留されたオゾン水は、オゾン水排出口９０３から当該オゾン水生成器の外部に排出される。
【０００４】
また、該文献に記載されたオゾン水生成器において、オゾン水タンク９００は、フロート９０４と、開閉機構９０５とを備えている。フロート９０４は、オゾン水の水位の変動に合わせて上昇または下降する。開閉機構９０５は、フロート９０４に連動する。開閉機構９０５は、フロート９０４が上昇する場合には、排気口９０２を塞ぐことができる。そのため、オゾン水タンク９００に貯留されたオゾン水の水位が上昇する場合に、排気口９０２からオゾン水が噴出することが防止されている。
【０００５】
フロート９０４は、略三日月形状の断面を有している。特許文献１に記載されたオゾン水生成器においては、フロート９０４の上方に広いスペースが形成される必要がないため、オゾン水タンク９００の全体の高さが低く抑えられている。このように、特許文献１に記載されたオゾン水生成器においては、オゾン水タンク９００の小型化が図られている。
【先行技術文献】
【特許文献】
【０００６】
【特許文献１】特開２００２−５２３０１号公報
【発明の概要】
【発明が解決しようとする課題】
【０００７】
特許文献１に記載されたオゾン水生成器において、略三日月形状の断面を有するフロートの構造が仮に密閉構造であった場合、フロート製作時に例えばコップ状の中空部材とこの開口部を塞ぐ部材といった２つ以上の部材を接着するなどして密閉構造をとる場合が多い。しかしながら、このように接着されたフロートをオゾン水を生成する部分に使用した場合、オゾンにより接着剤が劣化するなどしてフロートの密閉構造が破損し、安定したオゾン水生成を行うことできなくなるという課題がある。
【０００８】
一方、底部が開口しているフロートを用いた場合は、フロートを一体成型で作製することができる。この場合、フロートを水平状態で保ち、フロート内部の気体を逃がさないようにすることで安定した浮力を保持することが重要となる。つまりオゾン水タンクに溜められた液体の液位の変化にフロートが連動して排気口を開閉することで液位を自動的に調整するが、フロート内部気体の浮力によってこの動作を実現しているため、フロート内の気体を保持することが重要となる。
【０００９】
しかしながら、オゾン水生成動作を行った際に水流などでフロートが傾斜した場合、フロート内部から気体が逃げ、浮力が低下することによりフロート動作が不安定になる問題が生じる。
【００１０】
本発明は、上記課題に鑑みてなされたものであり、底部が開口しているフロートにおいて、安定したフロート動作を実現することで、溶解液を長時間安定して生成することが可能な気液分離器を提供するものである。
【課題を解決するための手段】
【００１１】
本発明に係る気液分離器は、液体を収容する容器を備え、前記容器の内部は、前記容器の外部から内部に導入された液体が流通するための導入室と、前記容器の内部から外部に導出される液体が流通するための導出室とに区画され、前記容器には、前記容器の外部と前記導入室とを連通させる第１の開口と、前記容器の外部と前記導出室とを連通させる第２の開口と、前記第１の開口および前記第２の開口よりも上方に配置され且つ前記容器の内部と外部とを連通させる流出口とが形成され、前記容器は、前記導出室に溜められた液体の液位の変化に連動し、液面に対向する開口部を有するフロートと、前記フロートの移動に基づいて前記流出口を開閉する液位調整部をさらに備え、前記フロートの開口部は、前記導入室と導出室を仕切る仕切部の高さよりも常に高い位置に配置している。
【００１２】
また、前記液位調整部は、液体の液位が所定の上限位に達する場合に前記流出口を閉塞する構成としてもよい。
【００１３】
本発明に係る溶解液生成装置は、上記のいずれかの気液分離器と、気体状態の特定の物質を発生させる気体発生器と、前記気液分離器に供給される液体に、前記気体発生器が発生させた気体状態の特定の物質を混合させる気液混合器を備える。
【００１４】
また、前記気体発生器は、オゾンを発生させ、当該溶解液生成装置は、オゾンが溶解した水を生成するオゾン水生成装置であってもよい。
【００１５】
本発明に係る衛生器具用洗浄装置は、上記のいずれかに記載の溶解液生成装置を備えている。
【発明の効果】
【００１６】
本発明によれば、安定したフロート動作を実現することで、溶解液を長時間安定して生成することが可能な気液分離器を提供することができる。
【図面の簡単な説明】
【００１７】
【図１】本発明に従った気液分離器を備えたオゾン水生成装置を模式的に示す図である。
【図２】第１実施形態の気液分離部の一例の断面図である。
【図３】図２のＩ−Ｉ線によって切断される気液分離器の一例の断面図である。
【図４】第１実施形態の気液分離部とフロートの高さを説明する図である。
【図５】第１実施形態の比較例を説明する図である。
【図６】（ａ）は、第２実施形態の気液分離器の一例の断面図であり、（ｂ）は、（ａ）のＩＩ−ＩＩ線によって切断される気液分離器の一例の断面図である。
【図７】衛生器具設備の一例としての便所を洗浄するためのオゾン水生成装置を備えた衛生器具用洗浄装置の一例を示す模式図である。
【図８】（ａ）は、衛生器具の一例としての小便器を洗浄するためのオゾン水生成装置を備えた衛生器具用洗浄装置の一例を示す模式図であり、（ｂ）は、衛生器具の一例としての大便器を洗浄するためのオゾン水生成装置を備えた衛生器具用洗浄装置の一例を示す模式図である。
【図９】従来のオゾン水生成器のオゾン水タンクの断面図である。
【発明を実施するための形態】
【００１８】
以下、本発明の実施の形態を図面に基づいて説明する。
【００１９】
（第１実施形態）
図１に、本発明に係る気液分離器を備えたオゾン水生成装置１００を示す。オゾン水生成装置１００は、本発明に係る溶解液生成装置の一例であって、オゾンが溶解した水を供給する装置である。オゾン水生成装置１００は、気体導入部１１０と、気体流路１１４と、液体流路１２１と、オゾン発生器１２０と、エジェクタ１３０と、気液分離器の一例としての気液分離部１４０とを備えている。
【００２０】
気体導入部１１０は、オゾン水生成装置１００の外部から気体を導入するものであり、管路１１１と逆止弁１１２とを有している。管路１１１の一端は、酸素または空気を貯蔵したガスボンベ（図示せず）等と接続していてもよいし、大気圧に開放されていてもよい。なお、管路１１１と後述する気体流路１１４及び液体流路１２１とは、一般的な配管によって形成されており、図示しない管状部材によって形成されている。
【００２１】
管路１１１の他端は、接続部１１３を介して気体流路１１４に接続されている。気体流路１１４は、気体状態のオゾンを流通させるためのものであり、図中、黒矢印で示す方向に気体が流通する。
【００２２】
なお、管路１１１には、オゾンガスを還元する機能を有するオゾンフィルタ（図示せず）が配置されていてもよい。オゾンフィルタは、例えば、オゾンを分解するための触媒が、格子状に構成された紙またはアルミニウムに付着されたもの等、一般的なオゾンフィルタである。オゾンフィルタを配置することで、万が一、オゾンが導入口に逆流してもオゾンガスを分解し、排出することができる。
【００２３】
オゾン発生器１２０は、気体状態のオゾンを生成し且つ生成したオゾンを気体流路１１４に供給する。気体導入部１１０によって導入された空気または酸素等の気体は、管路１１１と気体流路１１４とを通ってオゾン発生器１２０に導入される。オゾン発生器１２０は、金属電極によって形成されたオゾン発生素子（図示せず）を有している。オゾン発生素子は、導入された空気または酸素を材料にしてオゾンガスを発生させる。なお、オゾン発生器１２０の構成は、特に限定されず、気体流路１１４から導入される空気または酸素等の気体からオゾンガスを生成するように構成されていればよい。オゾン発生器１２０としては、一般的なオゾン発生器を用いることが可能である。
【００２４】
オゾン水生成装置１００において、液体としての水は、液体流路１２１を図中、白矢印で示す方向に流通する。液体流路１２１は、オゾンが溶解される水を流通させる。オゾン水生成装置１００は、給水部１５０を備えている。オゾン水生成装置１００の使用者が図示しない水道蛇口を開放することにより、原水としての水道水が給水部１５０からオゾン水生成装置１００に供給される。ただし、原水は、水道水に限定されず、浄化もしくは精製された水であってもよい。
【００２５】
液体流路１２１は、給水部１５０に接続している。給水部１５０は、図示しない電磁弁を有している。給水部１５０は、オゾン水生成装置１００の本体（図示せず）の外部に配置されていてもよく、本体の内部に収容されていてもよい。給水部１５０の弁は、給水部１５０以外に、給水部１５０とエジェクタ１３０の間に設けてもよい。
【００２６】
オゾン水生成装置１００においては、気液混合部として、エジェクタ型のものが利用されている。気液混合部の一例としてのエジェクタ１３０は、液体流路１２１の一部を形成している。エジェクタ１３０には、液体の流入口１３１とオゾン水の流出口１３２と気体の流入口１３３とが形成されている。気体流路１１４の一端は、流入口１３３を介してエジェクタ１３０に接続されている。
【００２７】
オゾン発生器１２０から気体流路１１４に供給されるオゾンは、気体流路１１４の一端からエジェクタ１３０に導入される。エジェクタ１３０に導入されるオゾンは、液体流路１２１を流通する水に混合され、且つ、液体流路１２１の流れの圧力によって水に溶解される。このようにして、エジェクタ１３０は、液体流路１２１を流通する水に、オゾン発生器１２０から気体流路１１４に供給される気体としてのオゾンを溶解させる。
【００２８】
エジェクタ１３０よりも、液体流路１２１を流通する水の流れ方向の下流には、気液分離部１４０が配置されている。気液分離部１４０は、液体流路１２１のうちのエジェクタ１３０よりも水の流れ方向の下流の一部を形成している。気液分離部１４０には、オゾン水の流入口１４１とオゾン水の流出口１４２と気体の流出口１４３とが形成されている。流出口１４３には、気体流路１１４の他端が接続されている。
【００２９】
気液分離部１４０は、液体流路１２１を流通する水からオゾンの気泡を含む気体を分離させる。流入口１４１から気液分離部１４０の内部に流入したオゾン水には、オゾンの気泡が、水に完全に溶解しないまま残っている。気液分離部１４０において、オゾンの気泡と水中に含まれる空気等の気体は、液体流路１２１を流通する水から分離された後に、流出口１４３から気体流路１１４に排出される。オゾンが溶解したオゾン水は、流出口１４２から気液分離部１４０の外部に排出された後に、吐水部１６０からオゾン水生成装置１００の外部に供給される。
【００３０】
次に、図２、図３を用いて、気液分離部１４０について説明する。
【００３１】
図２は、本発明に従った気液分離部１４０の一例の断面図であり、図３は、図２のＩ−Ｉ線の断面図である。図２のＩ−Ｉ線は、気液分離部１４０に貯められたオゾン水の水面Ｓの位置において延びる水平線である。図２に示すように、気液分離部１４０は、容器１０４と、容器１０４に収容された内筒１４７とを備えている。容器１０４と内筒１４７とは、例えば樹脂材料によって形成されている。容器１０４は、底面１４５と、天井面１４６と、周壁１４９とを有している。周壁１４９は、底面１４５と天井面１４６との間を上下方向に延びている。周壁１４９と内筒１４７とは、それぞれ略円筒形状を有している。底面１４５と天井面１４６とは、それぞれ略円盤形状を有している。
【００３２】
ここで、図２の左右方向または図３の左右方向のことを容器１０４の幅方向という。また、図２の上下方向は、鉛直上下方向と略一致している。
【００３３】
内筒１４７は、仕切部材の一例であり、容器１０４の内部において容器１０４の幅方向の一端側に配置されている。本実施形態では、図２に示すように、容器１０４の内部の左側に内筒１４７が配置されている。内筒１４７は、略円筒形状を持つ仕切周壁１４７ｂを有している。仕切周壁１４７ｂは、容器１０４の底面１４５から上方に向かって延びている。
【００３４】
仕切周壁１４７ｂの上端面１４７ｃは、天井面１４６よりも下方に配置されている。上端面１４７ｃは、天井面１４６に面しており、上端面１４７ｃの全体は、略水平方向から傾斜することなく、底面１４５に対して略平行に配置されている。
【００３５】
内筒１４７は、容器１０４の内部を導入室４１と導出室４２とに区画し、内筒１４７の壁は仕切周壁１４７ｂより構成されている。導入室４１は、容器１０４の外部から内部に導入された水が流通するための空間である。導出室４２は、容器１０４の内部から外部に導出される水が流通するための空間である。
【００３６】
導入室４１の容積は、導出室４２の容積よりも小さい。導入室４１と導出室４２とは、天井面１４６付近の空間の一部、つまり、内筒１４７の上端面１４７cと天井面１４６とに挟まれた空間によって互いに接続されている。
【００３７】
図２に示すように、容器１０４の内部には、気体を貯留する空間４３が形成されている。空間４３は、容器１０４の内部の溶液の液面と天井面１４６との間に形成されている。気液分離部１４０においては、内筒１４７が流出口１４２よりも流入口１４１の近くに配置されているため、空間４３のうち、導出室４２の上方に配置された部分の容積が比較的大きい。
【００３８】
オゾン水の流入口１４１とオゾン水の流出口１４２とは、周壁１４９に形成されている。流入口１４１と、流出口１４２とは、内筒１４７の上端面１４７ｃよりも下方に配置されている。流入口１４１は、容器１０４の外部と導入室４１とを連通させる。上下方向に沿った流入口１４１の下端の位置は、底面１４５の位置と略一致している。
【００３９】
一方、導出室４２と容器１０４の外部とは、流出口１４２を介して互いに連通する。上下方向に沿った流出口１４２の下端の位置は、底面１４５の位置と略一致している。
【００４０】
容器１０４の天井面１４６の一部には、筒状部１４４が形成されている。筒状部１４４は、気体を貯留する空間４３の上方に配置されている。筒状部１４４の下端の開口は、気体の流出口１４３である。気体の流出口１４３は、流入口１４１および流出口１４２よりも上方に配置されている。容器１０４の内部と外部とは、流出口１４３を介して連通する。詳細には、気体を貯留する空間４３と、容器１０４の外部とが、流出口１４３を介して互いに連通する。筒状部１４４は、図１に示す気体流路１１４の一部を形成している。
【００４１】
容器１０４の流入口１４１には、ノズル２１ｐが、また、流出口１４２には、ノズル２２ｐが取り付けられている。ノズル２１ｐと、ノズル２２ｐは、互いに略平行な方向であって、容器１０４の幅方向に延び、ノズル２１ｐの内部とノズル２２ｐの内部とは、液体流路１２１の一部を形成している。なお、本実施形態では、ノズル２１ｐとノズル２２ｐのいずれかまたは両方は、容器１０４と一体成型されているが、流入口１４１、または流出口１４２に対し、別部材として筒状のノズルを取り付けてもよい。
【００４２】
図３に示すように、流入口１４１と流出口１４２とは、容器１０４の幅方向に沿って互いに対向するように周壁１４９に形成されている。つまり、容器１０４の平面視において、流入口１４１と流出口１４２とは、互いに対向している。容器１０４の平面視において、流入口１４１と流出口１４２とを結ぶ直線は、後述するフロート７１を通る。フロート７１は、容器１０４の右側の周壁１４９と、内筒１４７との間に配置されている。
【００４３】
仕切周壁１４７ｂの一端側の外面が容器１０４の一端側の周壁１４９の内面に固定されることにより、内筒１４７は、容器１０４に接触している。容器１０４の平面視において、仕切周壁の外径である、仕切周壁１４７ｂの一端側の外面から他端側の外面までの水平方向の寸法Ｌ１は、仕切周壁１４７ｂの他端側の外面から容器１０４の他端側の周壁１４９の内面までの水平方向の距離Ｌ２よりも小さい。このように、容器１０４の平面視において、内筒１４７は、流出口１４２よりも流入口１４１の近くに配置されている。容器１０４の周壁１４９の内径は、（Ｌ１＋Ｌ２）によって表される。
【００４４】
容器１０４の平面視において、仕切周壁１４７ｂの一端側には、導入口１４７ａが形成されている。導入口１４７ａは、流入口１４１に面している。導入口１４７ａの口径と、流入口１４１に挿入された部分のノズル２１ｐの外径とは、略同一である。導入室４１と、導出室４２と、空間４３の一部とは、液体流路１２１の一部を形成している。なお、液体流路１２１の一部を形成する空間４３の一部は、導入室４１の一部と導出室４２の一部とを兼用する。
【００４５】
気液分離部１４０は、液位調整部７０を備えている。液位調整部７０は、容器１０４の内部の溶液の液位を調整する液位調整部の一例である。液位調整部７０は、フロート７１と、栓部７３とを有している。栓部７３は、ゴム等の弾性材料によって球体状あるいは円盤状に形成されている。栓部７３の球あるいは円盤の径は、流出口１４３の径よりも大きい。栓部７３は、流出口１４３の下方に配置されている。
【００４６】
フロート７１は、気液分離部１４０に溜められたオゾン水の水位の変化に連動する。液位調整部７０は、フロート７１の移動に基づいて流出口１４３を開閉する。液位調整部７０は、流出口１４３を開閉することにより、空間４３の容積を所定の範囲に維持する。
【００４７】
また、液位調整部７０は、フロートガイド７５と、容器１０４側の支持部７６と、フロート７１側の支持部７７とを有している。容器１０４側の支持部７６は、天井面１４６に固定されている。フロート７１側の支持部７７は、フロート７１の上壁に固定されている。
【００４８】
フロートガイド７５は、樹脂材料によって形成されたロッド状または板状の部材である。フロートガイド７５が支持部７６を中心に回転自在であるように、フロートガイド７５の一端に近い部分は、支持部７６に取り付けられている。また、フロートガイド７５の中央部には、栓部７３が形成されている。フロートガイド７５の他端は、支持部７７に取り付けられており、また支持部７７はフロート７１が水流などで大きく傾かないようにストッパ（図示せず）を備えている。
【００４９】
オゾン水の水位の変化に応じてフロート７１が上下に移動する場合に、フロートガイド７５が支持部７６を中心に回転する。このフロートガイド７５の回転に伴って、栓部７３が上下に移動する。フロート７１は、中空の略円筒形状を有し、周縁部が円環形状を有している。フロート７１の水平断面は、容器１０４の上下方向に沿って一定である。
【００５０】
次に、フロート７１と内筒１４７の関係について説明する。
【００５１】
図４は、貯液されていない気液分離部１４０の断面図である。気液分離部１４０は略水平に設置されているものとする。気液分離部１４０には液体が存在しないため、フロート７１の重みにより、支持部７６を中心にフロートガイド７５が時計回りに下方に回転し、フロートガイド端部７５aが天井面１４６に接触したところで停止している。
【００５２】
一方、内筒１４７は、仕切周壁１４７ｂを有し、この仕切周壁１４７ｂの底面１４５からの高さｈ１が内筒１４７の高さを決定する。
【００５３】
ここで、フロート７１の周縁部７１ｃは、底面１４５に対して略平行になるようにストッパにより調整されている。底面１４５から周縁部７１ｃまでの高さｈ２は、仕切周壁１４７ｂの底面１４５からの高さｈ１よりも高く設定する。すなわち、気液分離部１４０に貯液されていない状態において、フロート７１の周縁部７１ｃよりも、内筒１４７の方が低い位置となるように構成する。このような構成とすることで、気液分離部１４０に流入した液体の量にかかわらず、常に内筒１４７の底面１４５からの高さは、周縁部７１ｃの底面１４５からの高さより低く設定される。これにより、内筒１４７に貯液されたオゾン水に溶け込めないで残ったオゾンの気泡がフロート７１内部に入りやすくなり、フロート７１が安定して水面に留まることができる。
【００５４】
次に、図１〜図２を用いて、オゾン水生成装置１００の水の流れと、オゾンを含む気体の流れとを説明する。オゾン水生成装置１００において、液体としての水は、給水部１５０から液体流路１２１に供給される。液体流路１２１を流れる水は、流入口１３１からエジェクタ１３０の内部に流入する。エジェクタ１３０の内部を流通した水は、流出口１３２からエジェクタ１３０の外部に流出する。
【００５５】
エジェクタ１３０の内部には、オゾン発生器１２０が発生させた気体のオゾンが流入口１３３から流入する。流入口１３３から流入した気体のオゾンは、液体流路１２１としてエジェクタ１３０の内部を流通する水に混合される。水に混合されたオゾンの一部は、水流の圧力に基づいて水に溶解される。オゾンを含む水は、流出口１３２からエジェクタ１３０の外部に流出する。
【００５６】
流出口１３２からエジェクタ１３０の外部に流出したオゾンを含む水は、流入口１４１から気液分離部１４０の内部に流入する。図２に示すように、ノズル２１ｐの内部から容器１０４の内部に流入したオゾンを含む水は、仕切周壁１４７ｂの内面に沿って、底面１４５から上方に向かって導入室４１を流通する。導入室４１の上部に達した溶液は、仕切周壁１４７ｂの上端面１４７ｃと天井面１４６との間を移動した後に、下方に向かって導出室４２を流通する。導出室４２の下部のうちの底面１４５の近傍に達した溶液は、流出口１４２から容器１０４の外部に流出する。
【００５７】
溶液の気泡に含まれるオゾンまたは空気等の気体は、容器１０４の内部を流通する間に、溶液から分離される。このように、溶液の気泡に含まれるオゾンまたは空気等の気体が溶液から分離された水として、オゾンが水に溶解したオゾン水が生成される。オゾンが水に溶解したオゾン水は、流出口１４２からノズル２２ｐの内部に流出することにより、気液分離部１４０の外部に流出する。
【００５８】
一方、溶液から分離されたオゾンまたは空気等の気体は、容器１０４の内部を流通する間に、空間４３に集まる。空間４３に集まった気体は、液位調整部７０が流出口１４３を開放している場合に、流出口１４３から筒状部１４４の内部を流通することにより、気液分離部１４０の外部に排出される。
【００５９】
気液分離部１４０において水から分離された空気とオゾンの一部は、流出口１４３から気体流路１１４に流出する（図１参照）。水に溶解されていないオゾンと空気は、気体流路１１４に排出された後に流入口１３３からエジェクタ１３０の内部に再び流入する。エジェクタ１３０において水に溶解されなかったオゾンは、気体流路１１４と、エジェクタ１３０と気液分離部１４０との間に延びる液体流路１２１の一部とを循環する間に、液体流路１２１を流通する水に次第に溶解される。オゾンが溶解したオゾン水は、流出口１４２から気液分離部１４０の外部に排出された後に、吐水部１６０からオゾン水生成装置１００の外部に供給される。
【００６０】
図２に示すように、導出室４２に貯められたオゾン水の水位が所定の上限位に達する場合には、栓部７３が流出口１４３を下方から覆うことにより、栓部７３が流出口１４３を閉塞する。これにより、エジェクタ１３０の吸引の作動によって流入口１３３から管路１１１（いずれも図１参照）に至る空間と、接続部１１３（図１参照）から流出口１４３に至る空間とが負圧となるため、逆止弁１１２（図１参照）が開くことによってエジェクタ１３０に外気が流入する。その結果、気液分離部１４０の空間４３に外気が流れ込む。これにより、気体が貯留される空間４３の容積が拡大するため、フロート７１の高さが下がることによって水位を自動的に調整することができる。
【００６１】
また、流出口１４３が閉塞されている場合には、気液分離部１４０からオゾン発生器１２０（図１参照）にオゾンが供給されない。しかしながら、上述のように、オゾン発生器１２０には、逆止弁１１２が開かれることによって、外気が供給される。このように、流出口１４３が液位調整部７０によって閉塞されている場合に、オゾン発生器１２０は、気体導入部１１０から気体を導入することによって、オゾンを生成することができる。
【００６２】
気液分離部１４０は、液位調整部７０を備えている。液位調整部７０は、フロート７１を有している。フロート７１は、導出室４２に溜められたオゾン水の水位の変化に連動する。液位調整部７０は、フロート７１の移動に基づいて流出口１４３を開閉する。
【００６３】
気液分離部１４０によれば、導出室４２の水位に応じて流出口１４３を開閉することにより、流出口１４３から溶液が噴出することを防止することができ、且つ、容器１０４の内部において気体が貯留される空間４３の容積を調整することができる。未溶解の気体が貯留される空間４３の容積が調整されることにより、気液分離部１４０において溶液から未溶解の気体を効果的に分離させることができる。
【００６４】
気液分離部１４０は、内筒１４７を備えている。容器１０４は、天井面１４６と底面１４５とを有している。内筒１４７は、容器１０４の内部において底面１４５から上方に向かって延び、且つ、導入室４１と導出室４２とに容器１０４の内部を区画する。フロート７１は、容器１０４の右側の周壁１４９の内面と、内筒１４７との間に配置されている。
【００６５】
この構成によれば、フロート７１が上下に移動する際に、容器１０４の特に右側の周壁１４９の内面のいずれかの部分または内筒１４７に、フロート７１が緩衝されることにより、フロート７１に傾きが生じることを防止することができる。
【００６６】
気液分離部１４０において、容器１０４は、周壁１４９を有している。周壁１４９は、底面１４５と天井面１４６との間を上下方向に延びている。流入口１４１と流出口１４２とは、容器１０４の平面視において互いに対向するように周壁１４９に形成されている。内筒１４７は、筒形状を持つ仕切周壁１４７ｂを有している。容器１０４の平面視において、仕切周壁１４７ｂの一端側には、流入口１４１に面する導入口１４７ａが形成されている。容器１０４の平面視において、内筒１４７は、流出口１４２よりも流入口１４１の近くに配置されている。
【００６７】
この構成によれば、仕切周壁１４７ｂの他端側の外面と、容器１０４の他端側の周壁１４９の内面との距離を拡大させることができる。これにより、気液分離部１４０において、導出室４２の容積を少なくとも幅方向に拡大させることができる。したがって、容器１０４の内部に導入されたオゾン水を流出口１４２から排出させるまでに、容器１０４の内部においてオゾン水から未溶解の気体をより効率よく分離させることができる。また、流出口１４２を通って容器１０４の外部に気泡が排出されることを抑制することができる。
【００６８】
気液分離部１４０において、導出室４２を流通する溶液の流速は、流出口１４２に向かって加速される。また、導入室４１から導出室４２に移動する溶液が、仕切周壁１４７ｂの上端面１４７ｃ付近から底面１４５に向かって落下することによって水面Ｓに衝突する場合には、水面Ｓの周りの空気が溶液に混合されることにより、溶液に多数の気泡が発生する。
【００６９】
気液分離部１４０において、液位調整部７０は、オゾン水の水位が所定の上限位に達する場合に流出口１４３を閉塞する。
【００７０】
この構成によれば、容器１０４の内部において、未溶解の気体が貯められた空間４３の容積を所定の範囲において維持することができる。これにより、容器１０４の内部に流入したオゾン水が、気体が貯留された空間４３を通過する際に、オゾン水が気体に容易に触れることができるため、オゾン水に含まれる未溶解気体をオゾン水から効率よく分離させることができる。
【００７１】
また、容器１０４の内部に勢いよくオゾン水が流入する場合でも、未溶解の気体が貯められた空間４３の容積が比較的大きいことと、液位調整部７０によって流出口１４３が閉塞されていることとにより、流出口１４３からオゾン水が噴出することを確実に防止することができる。
【００７２】
なお、本発明に従った溶解液生成装置が生成する溶液は、気体状態のオゾンが溶解した溶液（つまり、オゾン水）を生成するものに限定されない。気液分離部１４０を備えた溶解液生成装置は、未溶解気体が気液分離部１４０の外部に流出することを抑制することができる。
【００７３】
ここで、本発明の効果について比較例を用いて説明する。
【００７４】
図５は、本発明の比較例として、貯液されていない状態において、底面１４５から周縁部７１ｃまでの高さが、底面１４５から仕切周壁５４７ｂの上端面５４７ｃまでの高さよりも低く設定した気液分離部５４０に溶液を導入している状態を示している。すなわち、気液分離部５４０に貯液されていない状態においては、フロート７１の周縁部７１ｃよりも、内筒５４７の高さの方が高い位置となるように構成されている。
【００７５】
溶液が導入され始めると、まず、導入室５１に溶液が貯液される。この間に溶液中に発生した気泡は、そのまま上昇し、空間５３に存在する。さらに溶液の導入が進むと、溶液は仕切周壁５４７ｂの上端面５４７ｃを超えて、導出室５２に貯水される。この間に導出室５２の溶液に発生した気体は、導出室５２に貯水された水面Ｓａがフロート７１の周縁部７１ｃに到達するまでは、そのまま上昇し、空間５３に存在する。その後、さらに溶液の導入が進むと、導出室５２に貯水された水面Ｓａがフロート７１の周縁部７１ｃに到達し、いくらかの気泡はフロート７１の内部に流入する。しかしながら、内筒５４７の高さがフロート７１の周縁部７１ｃの位置よりも高いため、多くの気泡は空間５３中に出ていくこととなる。その結果、常にフロート７１内部に気体が流入するとは言えず、フロート７１内部に気体が安定して供給されないため、フロート７１の浮力は極めて不安定な傾きやすい状態となる。このため、導出室５２に溜められたオゾン水の水位の変化に連動したフロート７１の移動が不安定となり、流出口１４３を適切に開閉できなくなり、安定した気液分離を行うことができない。
【００７６】
図２に示す本発明の気液分離部１４０においては、溶液に発生した多数の気泡は、水面Ｓに到達するまでに、フロート７１の内部に流入する確率が高くなる。これは、溶液の量がいかなる場合でも、仕切底面１４５から周壁１４７ｂまでの高さがフロート７１の周縁部７１ｃまでの高さよりも常に低いため、溶液中に発生した気泡が上昇し、フロー７１内部に流入しやすくなるためである。常に、溶液に発生した気泡がフロート７１内部に流入するため、フロート７１内部は気体で満たされ安定した浮力を保つことができる。よって、フロート７１の動作が安定し、安定した気液分離を行うことができる。
【００７７】
このように、貯液されていない気液分離部１４０において、フロート７１の周縁部７１ｃの底面１４５からの高さを、仕切周壁１４７ｂの底面１４５からの高さよりも高い構成とすることで、気液分離部１４０に流入した液体の量にかかわらず、常に内筒１４７の底面１４５からの高さは、周縁部７１ｃの底面１４５からの高さより低く設定される。これにより、気液分離部１４０に貯液されたオゾン水に溶け込めないで残ったオゾンの気泡がフロート７１内部に入りやすくなり、フロート７１の浮力が安定し、安定した気液分離を行うことが可能となる。
【００７８】
なお、気液分離部１４０において、フロート７１の形状は略円筒状であって、フロート７１の周壁７１ｂの水平断面の断面積は、容器１０４の上下方向に沿って一定である。しかしながら、フロート７１の形状は、略円筒形状に限定されない。つまり、フロート７１の周壁７１ｂの水平断面の断面積は、容器１０４の上下方向に沿って一定でなくてもよい。また、容器１０４の周壁１４９の内面は、容器１０４の上下方向に沿って真っ直ぐに延びていなくてもよく、仕切周壁１４７ｂの水平断面の断面積は、容器１０４の上下方向に沿って一定でなくてもよい。
【００７９】
なお、ノズル２１ｐが延びる方向と、ノズル２２ｐが延びる方向とは、それぞれ異なっていてもよい。ノズル２１ｐが延びる方向と、ノズル２２ｐが延びる方向とは、略水平方向であることに限定されない。ただし、ノズル２１ｐは、ノズル２１ｐの内部から容器１０４の内部に略水平方向に溶液が流入するように、容器１０４に取り付けられていることが好ましい。また、ノズル２２ｐは、容器１０４の内部からノズル２２ｐの内部に略水平方向に溶液が流出するように、容器１０４に取り付けられていることが好ましい。
【００８０】
なお、内筒１４７は、容器１０４と一体成型されていてもよい。また、ノズル２１ｐは、流入口１４１を貫通し且つ導入口１４７ａに一部が収容されていてもよい。あるいは、ノズル２１ｐの端面は、流入口１４１を囲む周壁１４９の外面に接触するように、周壁１４９の外面に取り付けられていてもよい。同様に、ノズル２２ｐの端面は、流出口１４２を囲む周壁１４９の外面に接触するように、周壁１４９の外面に取り付けられていてもよい。
【００８１】
流出口１４３は、天井面１４６ではなく、容器１０４の他端側の周壁１４９に形成されていてもよい。
【００８２】
液位調整部７０は、図２に示す構成を備えていることに限定されない。液位調整部７０は、例えば容器１０４においての流出口１４３の位置に応じて、容器１０４側の支持部が周壁１４９に取り付けられていてもよい。
【００８３】
なお、気体導入部１１０は、オゾン水生成装置１００の外部から内部に気体を導入させることが可能であるように構成されていればよい。例えば、気体導入部１１０の構成は、逆止弁１１２の代わりにオゾン発生器１２０に供給される気体量を制御することが可能な開閉バルブまたは電磁弁等を備えていてもよい。あるいは、気体導入部１１０は、逆止弁１１２を備えていなくてもよく、接続部１１３に三方向弁が配置されたような構成であってもよい。この三方向弁は、例えば、電子的に制御されるものであって、図示しない制御部によって制御される。
【００８４】
接続部１１３の位置は、気体流路１１４のうち、オゾン発生器１２０とエジェクタ１３０との間であってもよい。つまり、管路１１１は、気体流路１１４のうち、オゾン発生器１２０とエジェクタ１３０との間を延びる部分に接続されていてもよい。
【００８５】
なお、気液混合部の構成は、エジェクタ型のものに限定されず、気体流路１１４から導入されたオゾンと液体流路１２１を流通する水とを混合させ、且つ、オゾンを水に溶解させる構成を有していればよい。
【００８６】
（第２実施形態）
次に、第２実施形態に係るオゾン水生成装置に用いる気液分離装置について、図６を用いて説明する。なお、以下において、第１実施形態に係るオゾン水生成装置１００の構成と同様の機能を有する構成には同符号を付し、その説明を省略する。
【００８７】
本実施形態では、気液分離器を直方体形状とし、オゾン水の流入口と流出口が同じ面に配置されている点が第１実施形態と異なる。
【００８８】
図６（ａ）は、本発明に従った気液分離器２４０の一例の断面図であり、図６は（ｂ）は、図６（ａ）のＩＩ−ＩＩ線の断面図である。図６（ａ）のＩＩ−ＩＩ線は、導出室４２に貯められたオゾン水の水面Ｓの位置において延びる水平線である。
【００８９】
図６（ａ）に示すように、気液分離部２４０は、容器２０４と、容器２０４に収容された半筐体２４７と、半筐体２４７に接続された仕切板２４８とを備えている。容器２０４は、周壁２４９を有している。周壁２４９は、筒形状を有している。周壁２４９は、容器２０４の上下方向に沿って真っ直ぐに延びている。
【００９０】
容器２０４は、底面２４５と天井面２４６とを有している。容器２０４の底面２４５と天井面２４６とは、それぞれ略長方形状を有している。周壁２４９は、天井面２４６と底面２４５との間を上下方向に延びている。周壁２４９の水平断面の形状は、環状の略長方形状である。
【００９１】
例えば、図６（ａ）及び図６（ｂ）の左右方向のことを容器２０４の幅方向という。また、図６（ｂ）の上下方向のことを容器２０４の奥行き方向または前後方向という。また、図６（ｂ）において、図面下を気液分離部２４０の前面とする。
【００９２】
仕切部材の一例としての半筐体２４７は、容器２０４の内部において容器２０４の幅方向の一端側且つ奥行き方向の一端側に配置されている。半筐体２４７は、容器２０４の内部の左側且つ前側に配置されている。半筐体２４７は、仕切周壁２４７ｂを有している。仕切周壁２４７ｂの水平断面は、略Ｕ字形状を有している。仕切周壁２４７ｂは、容器２０４の底面から上方に向かって延びている。容器２０４の天井面２４６に面する仕切周壁２４７ｂの上端面は、天井面２４６よりも下方に配置されている。
【００９３】
仕切部材の一例としての仕切板２４８は、容器２０４の底面２４５から上方に向かって真っ直ぐに延びている。容器２０４の天井面２４６に面する仕切板２４８の上端面２４８ｃは、天井面２４６よりも下方に配置されている。また、仕切板２４８は、板形状を有している。仕切板２４８の水平断面は、略長方形状を有している。仕切板２４８の一端は、左側の周壁２４９の内面に接続されている。仕切板２４８の他端は、左側の周壁２４９と右側の周壁２４９との間に配置されている。半筐体２４７の側面と仕切板２４８の背面とが接続されることによって、仕切板２４８が半筐体２４７に接続されている。
【００９４】
半筐体２４７および仕切板２４８により、容器２０４の内部が導入室４１と導出室４２とに区画される。導入室４１は、容器２０４の内部の前側において、仕切周壁２４７ｂと仕切板２４８とに囲まれた空間を含む。導出室４２は、容器２０４の周壁２４９の内面の一部と、仕切周壁２４７ｂの外面の一部および仕切板２４８とに囲まれた空間を含む。導入室４１と導出室４２とは、容器２０４の天井面２４６付近の空間の一部、つまり、仕切周壁２４７ｂの上端面および仕切板２４８の上端面と、天井面２４６とに挟まれた空間によって互いに接続されている。
【００９５】
ここで、気液分離部２４０の貯液量にかかわらず、底面２４５からフロート８１の周縁部８１ｃまでの高さｈ４は、底面２４５から半筐体２４７および仕切板２４８の高さｈ３よりも常に高く設定する。すなわち、気液分離部２４０に貯液されていない状態において、フロート８１の周縁部８１ｃよりも、底面２４５から半筐体２４７および仕切板２４８の高さの方が低い位置となるように構成すればよい。このような構成とすることで、気液分離部２４０に流入した液体の量にかかわらず、常に底面２４５から半筐体２４７および仕切板２４８の高さは、周縁部８１ｃの底面２４５からの高さより低く設定される。これにより、気液分離部２４０に貯液されたオゾン水に溶け込めないで残ったオゾンの気泡がフロート８１内部に入りやすくなり、フロート８１が安定して水面に留まることができる。このため、導出室４２に溜められたオゾン水の水位の変化に連動したフロート８１の移動が安定し、流出口２４３を適切に開閉することができるので、安定した気液分離を行うことが可能となる。
【００９６】
オゾン水の流入口２４１とオゾン水の流出口２４２とは、周壁２４９に形成されている。第１の開口の一例としての流入口２４１と、第２の開口の一例としての流出口２４２とは、半筐体２４７の上端面および仕切板２４８の上端面よりも下方に配置されている。流入口２４１は、容器２０４の外部と導入室４１とを連通させる。上下方向に沿った流入口２４１の下端の位置は、容器２０４の底面の位置と略一致している。一方、導出室４２と容器２０４の外部とは、流出口２４２を介して互いに連通する。上下方向に沿った流出口２４２の下端の位置は、容器２０４の底面２４５の位置と略一致している。
【００９７】
なお、気液分離部２４０において、気体の流出口２４３は、第１実施形態に係るオゾン水生成装置１００の気液分離部１４０（図２参照）と同様に、容器２０４の上壁に形成されている。
【００９８】
容器２０４の前面の周壁２４９にはノズル２３ｐとノズル２４ｐとが取り付けられている。ノズル２３ｐは、流入口２４１に挿入されている。ノズル２３ｐと、ノズル２４ｐは、互いに略平行な方向であって、容器２０４の奥行き方向に延びている。
【００９９】
ノズル２４ｐは、流出口２４２に挿入されている。ノズル２３ｐの内部とノズル２４ｐの内部とは、液体流路１２１の一部を形成している。なお、ノズル２３ｐとノズル２４ｐのいずれかまたは両方は、容器２０４と一体成型されていてもよい。
【０１００】
流入口２４１と流出口２４２とは、容器２０４の幅方向に沿って並ぶように周壁２４９に形成されている。容器２０４の前面周壁２４９において、流入口２４１は左側に配置され、流出口２４２は右側に配置されている。容器２０４の上下方向に沿った流入口２４１の位置と流出口２４２の位置とは、互いに略同一の位置である。
【０１０１】
容器２０４の幅方向に沿って、流入口２４１と流出口２４２との間には、仕切板２４８が配置されている。流入口２４１を通って容器２０４の外部から導入室４１に流入するオゾン水は、図６（ａ）の下方から上方に向かって流れる。一方、流出口２４２を通って導出室４２から容器２０４の外部に流出するオゾン水は、図６（ａ）の上方から下方に向かって流れる。このように、流入口２４１から容器２０４の内部に流入したオゾン水は、流出口２４２から容器２０４の外部に流出するまでの間に、容器２０４の平面視において流れ方向が１８０度変更される。
【０１０２】
図６（ａ）に示すように、気液分離部２４０において、気液分離部１４０（図２参照）と同様に、導出室４２の上方には、気体を貯留する空間４３が形成されている。
【０１０３】
気液分離部２４０は、導出室４２のオゾン水の水位に連動することによって気体の流出口を開閉する液位調整部を備えている。液位調整部は、フロート８１を有している。気液分離部２４０の液位調整部のフロート８１の容器２０４に対する取り付けの構成と、気液分離部１４０（図２参照）の液位調整部７０のフロート７１の容器１０４に対する取り付けの構成とは、同様である。
【０１０４】
フロート８１は、上壁と周壁とを有している。フロート８１の周壁は、筒形状を有している。フロート８１の周壁の水平断面は、容器２０４の上下方向に沿って一定である。
【０１０５】
なお、気液分離部２４０において、フロート８１は中空形状を有し、フロート８１の底面が環状の略長方形状を有している。
【０１０６】
なお、フロート８１の周壁の水平断面の断面積は、容器２０４の上下方向に沿って一定でなくてもよい。また、容器２０４の周壁２４９の内面は、容器２０４の上下方向に沿って真っ直ぐに延びていなくてもよく、仕切周壁２４７ｂの水平断面の断面積は、容器２０４の上下方向に沿って一定でなくてもよい。さらに、周壁２４９の外面の形状は、特に限定されない。
【０１０７】
以上のように構成された気液分離部２４０は、第１実施形態に係るオゾン水生成装置１００の気液分離部１４０と同様の作用効果を得ることができる。また、気液分離部２４０を備えたオゾン水生成装置は、第１実施形態に係るオゾン水生成装置１００と同様の作用効果を得ることができる。さらに、気液分離部２４０は、流入口２４１と流出口２４２のいずれもが容器２０４の前面に設けられ、且つ容器２０４は、略直方体形状であるため、オゾン水生成装置を構成する際には、無駄なスペースが少なくなり、設置の自由度が高くなるという効果もある。
【０１０８】
（第３実施形態）
次に本発明に係るオゾン液生成器を用いた実施形態の例について説明する。第１実施形態に係るオゾン水生成装置１００または第２実施形態に係るオゾン水生成装置は、衛生器具用洗浄装置に用いることができる。衛生器具には、例えば、便所、洗面所、または、浴室に用いられた大小便器、手洗い器、洗面器、または、浴槽等が含まれる。つまり、オゾン水生成装置１００を備えた衛生器具用洗浄装置は、例えば、便所、洗面所、もしくは、浴室に用いられる器具、または、便所、洗面所、もしくは、浴室を洗浄するための装置である。
【０１０９】
図７は、オゾン水生成装置１００を便所７００に設置した例である。図７に示すように、小便器７０１、７０２、７０３を洗浄するための衛生器具用洗浄装置７５０が便所７００に設置されている。便所７００は、衛生器具設備の一例である。衛生器具用洗浄装置７５０は、小便器７０１、７０２、７０３を含む便器に水を供給するための配管７１０に接続されている。衛生器具用洗浄装置７５０は、オゾン水生成装置１００を備えている。配管７１０を流通する水が衛生器具用洗浄装置７５０を通過するときに水にオゾンが溶解されることにより、オゾン水が生成される。衛生器具用洗浄装置７５０を通過した後に配管７１０を流通するオゾン水は、小便器７０１、７０２、７０３を含む便器に供給される。
【０１１０】
図８は、オゾン水生成装置１００を、小便器８２０、大便器８４０に設置した例である。
【０１１１】
図８（ａ）に示すように、小便器８２０は、衛生陶器８２１を洗浄するための衛生器具用洗浄装置８２２を備えている。小便器８２０は、衛生器具の一例である。衛生器具用洗浄装置８２２は、小便器８２０の上部に配置されている。衛生器具用洗浄装置８２２は、オゾン水生成装置１００を備えている。
【０１１２】
また、図８（ｂ）に示すように、大便器８４０は、洗浄便座８３０を備えている。洗浄便座８３０は、オゾン水生成装置１００を備えた洗浄ユニット８３４と、便座カバー８３３と、便座８３２とを有する。洗浄ユニット８３４は、衛生陶器８３１を洗浄するための衛生器具用洗浄装置の一例である。大便器８４０は、衛生器具の一例である。
【０１１３】
オゾン水生成装置１００を備えた衛生器具用洗浄装置において、オゾン水生成装置１００は、未溶解気体が気液分離部１４０（図２参照）の外部に流出することを抑制することができる。
【０１１４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１１５】
４１  導入室
４２  導出室
７０  液位調整部
７１、８１  フロート
１００  オゾン水生成装置
１０４、２０４  容器
１２０  オゾン発生器
１３０  エジェクタ
１４０  気液分離部
１４１、２４１  流入口
１４２、２４２  流出口
１４３、２４３  流出口
１４５、２４５  底面
１４６、２４６  天井面
１４７  内筒
１４７ａ  導入口
１４７ｂ、２４７ｂ  仕切周壁
１４９、２４９  周壁
【図１】
2014083509.tif 000003
【図２】
2014083509.tif 000004
【図３】
2014083509.tif 000005
【図４】
2014083509.tif 000006
【図５】
2014083509.tif 000007
【図６】
2014083509.tif 000008
【図７】
2014083509.tif 000009
【図８】
2014083509.tif 000010
【図９】
2014083509.tif 000011